(57)【要約】【課題】ＲＦモジュール間の干渉の発生がなく、かつ、規格外データの受信に基づくＩＣカードモジュールにおけるエラーの発生をなくして、搬送波の周波数が異なる複数の非接触型カード機能を１枚のカードに収めることを可能にした非接触型ＩＣカードを提供する。【解決手段】ＲＦモジュールとして、複数のカード処理回路が用いるそれぞれの搬送波が送受信可能な１つのＲＦモジュール（共通無線回路）１０を搭載するとともに、受信搬送波の周波数を検知して、この検知した搬送波の周波数に基づき、複数のＩＣカードモジュール（カード処理回路）３０−１、３０−２のうちの１つのＩＣカードモジュールを選択的に起動する選択起動制御部２０を設ける。【選択図】図１
2012068931.tif 000002
【特許請求の範囲】
【請求項１】
リーダライタから搬送される搬送波の電磁誘導により発生される電力で駆動され、前記搬送波の変調により前記リーダライタとの間で通信を行う非接触型ＩＣカードであって、
前記通信に用いる搬送波の周波数がそれぞれ異なる複数のカード処理回路と、
前記複数のカード処理回路が用いるそれぞれの搬送波が送受信可能な共通無線回路と、
前記共通無線回路で受信した前記リーダライタからの搬送波の周波数を検出する周波数検出手段と、
前記周波数検出手段により検出した周波数に基づき前記複数のカード処理回路の中の該周波数の搬送波を用いる１つのカード処理回路を特定する特定手段と、
前記特定手段により特定された１つのカード処理回路を選択的に起動する選択起動制御手段と
を具備する非接触型ＩＣカード。
【請求項２】
前記周波数検出手段は、
前記共通無線回路で受信した前記リーダライタからの搬送波をアナログデジタル変換してパルス信号を出力するアナログデジタル変換回路と、
前記搬送波の振幅が安定した場合に、オンになって前記アナログデジタル変換回路から出力されるパルス信号を通過させるスイッチ回路と、
前記スイッチ回路のオンにより所定のサンプリング時間の計時を開始するサンプリングタイマと、
前記サンプリングタイマの計時時間の間、前記スイッチ回路を通過した前記アナログデジタル変換回路から出力されるパルス信号のパルスをカウントするパルスカウンタと
を具備し、
前記特定手段は、
前記複数のカード処理回路が用いるそれぞれの搬送波のサンプリングカウントデータを予め記憶する記憶手段と、
前記パルスカウンタのカウントデータと前記記憶手段に記憶されたサンプリングカウントデータとを比較することにより前記１つのカード処理回路を特定する比較手段と
を具備する請求項１記載の非接触型ＩＣカード。
【請求項３】
前記選択起動制御手段は、
前記特定手段により特定された１つのカード処理回路に対して選択的に電力を供給するとともに、該１つのカード処理回路に対して前記共通無線回路で受信した受信データを選択的に供給する請求項１または２記載の非接触型ＩＣカード。
【発明の詳細な説明】
【技術分野】
【０００１】
本発明は、非接触型ＩＣカードに関し、特に、通信に使用する搬送波の周波数が異なる複数種類の非接触型カード機能を１枚のカードに収めることを可能にした非接触型ＩＣカードに関する。
【背景技術】
【０００２】
最近、非接触型ＩＣカードが種々の産業分野で利用されるようになっているが、この非接触型ＩＣカードとしては、１３．５６ＭＨｚの搬送波を使用する電子マネー系のＩＣカード、１２５ＫＨｚの搬送波を使用するＲＦＩＤカード、４．４８ＧＨｚの搬送波を使用するデータ通信用カード、５．８ＧＨｚの搬送波を使用するＥＴＣカード等が知られている。
【０００３】
ところで、この種の非接触型ＩＣカードは、各規格で使用するＲＦモジュール（無線回路）とカード処理を行うＩＣカードモジュール（カード処理回路）とが一対一の関係で搭載されている。
【０００４】
このような構成の非接触型ＩＣカードは、カードの種類毎にその構成が異なるので、使用する非接触型ＩＣカードの種類が増えると、一人で何枚もの非接触型ＩＣカードを所持することが必要になり、この非接触型ＩＣカードの種類は年々増加している。
【０００５】
そこで、１枚の非接触型ＩＣカードに、それぞれの通信に使用する搬送周波数が異なる複数の非接触型ＩＣカード機能を持たせようとすると、１枚のカードに各規格で使用するＲＦモジュールとＩＣカードモジュールとの対を複数搭載する必要がある。
【０００６】
このように、１枚のカードにＲＦモジュールとＩＣカードモジュールとの対を複数を搭載して、１枚のカードに複数の非接触型ＩＣカード機能を持たせようとした非接触型ＩＣカードとしては、特許文献１に記載されたものが知られている。
【先行技術文献】
【特許文献】
【０００７】
【特許文献１】特開２００７−２８７１２８号公報
【発明の概要】
【発明が解決しようとする課題】
【０００８】
しかし、特許文献１に記載された非接触型ＩＣカードにおいては、１枚のカードにＲＦモジュールとＩＣカードモジュールとの対を複数搭載しているので、各ＲＦモジュール間の干渉の発生および不要なＩＣカードモジュールへの電力供給のためのエラーが発生する。
【０００９】
図５は、１枚のカードにアンテナＲＦモジュールとＩＣカードモジュールとの複数の対を搭載した非接触型ＩＣカードの従来構成を示したものである。図５に示した非接触型ＩＣカードにおいては、ＲＦモジュール５１０とＩＣカードモジュール５３０−１の第１の対、ＲＦモジュール５２０とＩＣカードモジュール５３０−２の第２の対が搭載されている。
【００１０】
ＲＦモジュール５１０は、ＩＣカードモジュール５３０−１の使用する周波数の搬送波の送受信を行うもので、受信した搬送波の電磁誘導により電力を発生する電源回路５１１を有している。また、ＲＦモジュール５２０は、ＩＣカードモジュール５３０−２の使用する周波数の搬送波の送受信を行うもので、受信した搬送波の電磁誘導により電力を発生する電源回路５２１を有している。
【００１１】
ＩＣカードモジュール５３０−１は、ＲＦモジュール５１０と送受信する搬送波の変調を利用して図示しない対応するカードリーダライタとの間の通信処理を行う。また、ＩＣカードモジュール５３０−２は、ＲＦモジュール５２０と送受信する搬送波の変調を利用して図示しない対応するカードリーダライタとの間の通信処理を行う。
【００１２】
このような構成により、この非接触型ＩＣカードは、ＩＣカードモジュール５３０−１による第１の非接触型ＩＣカード機能と、ＩＣカードモジュール５３０−２による第２の非接触型ＩＣカード機能とを１枚のカードで実現することができる。
【００１３】
しかし、この非接触型ＩＣカードは、ＲＦモジュール５１０とＲＦモジュール５２０の２つのＲＦモジュールを搭載しているため、ＲＦモジュール５１０とＲＦモジュール５２０との間で干渉が発生する虞がある。
【００１４】
また、この非接触型ＩＣカードは、たとえば、ＩＣカードモジュール５３０−１を用いた非接触型カード機能に対応したカードリーダライタにかざされた場合、ＲＦモジュール５１０は、カードリーダライタからの搬送波を検知して、電源回路５１１で生成された電力をＩＣカードモジュール５３０−１に供給するとともに、受信データをＩＣカードモジュール５３０−１に送信するが、このときＲＦモジュール５２０も同時に動作して、電源回路５２１から電力をＩＣカードモジュール５３０−２に供給するとともに、受信データをＩＣカードモジュール５３０−２に送信することになる。
【００１５】
この場合、ＩＣカードモジュール５３０−２では、規格外のデータを受信することになるので、処理不能になってエラーが発生する。
【００１６】
そこで、本発明は、ＲＦモジュール間の干渉の発生がなく、かつ、規格外データの受信に基づくＩＣカードモジュールにおけるエラーの発生をなくして、搬送波の周波数が異なる複数の非接触型カード機能を１枚のカードに収めることを可能にした非接触型ＩＣカードを提供することを目的とする。
【課題を解決するための手段】
【００１７】
上記目的を達成するため、請求項１の発明は、リーダライタから搬送される搬送波の電磁誘導により発生される電力で駆動され、前記搬送波の変調により前記リーダライタとの間で通信を行う非接触型ＩＣカードであって、前記通信に用いる搬送波の周波数がそれぞれ異なる複数のカード処理回路と、前記複数のカード処理回路が用いるそれぞれの搬送波が送受信可能な共通無線回路と、前記共通無線回路で受信した前記リーダライタからの搬送波の周波数を検出する周波数検出手段と、前記周波数検出手段により検出した周波数に基づき前記複数のカード処理回路の中の該周波数の搬送波を用いる１つのカード処理回路を特定する特定手段と、前記特定手段により特定された１つのカード処理回路を選択的に起動する選択起動制御手段とを具備する。
【００１８】
請求項２の発明は、請求項１の発明において、前記周波数検出手段は、前記共通無線回路で受信した前記リーダライタからの搬送波をアナログデジタル変換してパルス信号を出力するアナログデジタル変換回路と、前記搬送波の振幅が安定した場合に、オンになって前記アナログデジタル変換回路から出力されるパルス信号を通過させるスイッチ回路と、前記スイッチ回路のオンにより所定のサンプリング時間の計時を開始するサンプリングタイマと、前記サンプリングタイマの計時時間の間、前記スイッチ回路を通過した前記アナログデジタル変換回路から出力されるパルス信号のパルスをカウントするパルスカウンタとを具備し、前記特定手段は、前記複数のカード処理回路が用いるそれぞれの搬送波のサンプリングカウントデータを予め記憶する記憶手段と、前記パルスカウンタのカウントデータと前記記憶手段に記憶されたサンプリングカウントデータとを比較することにより前記１つのカード処理回路を特定する比較手段とを具備する。
【００１９】
請求項３の発明は、請求項１または２の発明において、前記選択起動制御手段は、前記特定手段により特定された１つのカード処理回路に対して選択的に電力を供給するとともに、該１つのカード処理回路に対して前記共通無線回路で受信した受信データを選択的に供給する。
【発明の効果】
【００２０】
本発明によれば、
（１）搬送波の周波数が異なる複数種類の非接触型カード機能を１枚のカードに収めることができるので、用途別に複数種類の非接触型ＩＣカードを携帯する必要がなくなる
（２）ＲＦモジュールとして、複数のカード処理回路が用いるそれぞれの搬送波が送受信可能な１つの共通無線回路を用いているため、ＲＦモジュール間の干渉の発生が生じず、また、ＲＦモジュールの実装スペースを小さくすることができる
（３）特定手段により特定された１つのカード処理回路を選択的に起動するようにしているので、規格外データの受信による処理不能に基づくエラーの発生を防止でき、また起動するカード処理回路は、１つだけなので、省電力化が図れる
等の効果を奏する。
【図面の簡単な説明】
【００２１】
【図１】図１は、本発明に係わる非接触型ＩＣカードの概略構成を示すブロック図である。
【図２】図２は、図１に示した非接触型ＩＣカードの詳細構成を示すブロック図である。
【図３】図３は、図２に示した非接触型ＩＣカードの動作を説明する波形図である。
【図４】図４は、図２に示した非接触型ＩＣカードの処理を説明するフローチャートである。
【図５】図５は、従来の非接触型ＩＣカードの概略構成を示すブロック図である。
【図６】図６は、本発明に係わる非接触型ＩＣカードの他の概略構成を示すブロック図である。
【発明を実施するための形態】
【００２２】
以下、本発明の一実施例を添付図面を参照して詳細に説明する。
【００２３】
図１は、本発明に係わる非接触型ＩＣカードの概略構成を示すブロック図である。
【００２４】
本発明に係わる非接触型ＩＣカードにおいては、ＲＦモジュールとして、複数のカード処理回路が用いるそれぞれの搬送波が送受信可能な１つのＲＦモジュール（共通無線回路）１０が搭載されるとともに、受信搬送波の周波数に対応して複数のＩＣカードモジュール（カード処理回路）３０−１、３０−２のうちの１つのＩＣカードモジュールを選択的に起動する選択起動制御部２０が設けられる。
【００２５】
ＲＦモジュール１０は、図示しないカードリーダライタからの搬送波を受信して、この搬送波の電磁誘導により電力を発生する電源回路１１を有する。また、このＲＦモジュール１０は、ＡＳＫ変調等により変調された搬送波を対応するカードリーダライタとの間で送受信する。
【００２６】
ここで、ＲＦモジュール１０は、ＩＣカードモジュール３０−１、３０−２のそれぞれで用いる搬送波の送受信を行うので、ＩＣカードモジュール３０−１、３０−２のそれぞれで用いる搬送波の周波数の送受信が可能な広帯域なＲＦモジュールから構成される。
【００２７】
選択起動制御部２０は、ＲＦモジュール１０の電源回路１１から電力の供給を受けて駆動される。また、選択起動制御部２０は、ＲＦモジュール１０で受信した搬送波の周波数に対応して、該当周波数を用いる１つのＩＣカードモジュールをＩＣカードモジュール３０−１、３０−２の中から特定する。
【００２８】
そして、選択起動制御部２０は、特定した１つのＩＣカードモジュールを選択的に起動し、この起動したＩＣカードモジュールに対してのみ電力供給および受信データの送信を行う。
【００２９】
選択起動制御部２０による１つのＩＣカードモジュールの選択起動は、選択起動制御部２０から出力されるチップセレクト信号ＣＳ１、ＣＳ２により行われる。たとえば、受信した搬送波の周波数が、ＩＣカードモジュール３０−１、３０−２のなかのＩＣカードモジュール３０−１で使用する搬送波の周波数に該当した場合は、ＩＣカードモジュール３０−１に送信するチップセレクト信号ＣＳ１をＯＮにし、ＩＣカードモジュール３０−２に送信するチップセレクト信号ＣＳ２をＯＦＦにする。これによりＩＣカードモジュール３０−１に対しては電力供給および受信データの送信が行われるが、ＩＣカードモジュール３０−２に対しては電力供給が行われず、また受信データの送信も行われない。
【００３０】
このように、本発明の非接触型ＩＣカードによれば、ＲＦモジュールとして、複数のＩＣカードモジュール３０−１、３０−２が用いるそれぞれの搬送波が送受信可能な１つのＲＦモジュール１０が用いられているため、ＲＦモジュール間の干渉の発生がなく、また、選択起動制御部２０により特定された１つのＩＣカードモジュール、たとえばＩＣカードモジュール３０−１が選択的に起動されるので、他のＩＣカードモジュール３０−２での規格外データの受信による処理不能に基づくエラーも発生しない。
【００３１】
図２は、図１に示した非接触型ＩＣカードの詳細構成を示すブロック図である。
【００３２】
図２において、図１に示した選択起動制御部２０は、水晶発振子２１、Ａ／Ｄ変換回路２２、スイッチ回路２３、パルスカウンタ２４、サンプリングタイマ２５、受信回路２６、メモリ２７、サンプリングカウントデータテーブル２８、ＣＰＵ２９を含む部分が対応する。また、図１に示した非接触型ＩＣカードにおいては、２つのＩＣカードモジュール３０−１、３０−２を搭載した場合を示しているが、図２に示す非接触型ＩＣカードにおいては、４つのＩＣカードモジュール３０−１、３０−２、３０−３、３０−４を搭載した場合を示している。他の部分は図１に示した非接触型ＩＣカードと同様であり、図２においては、図１と共通する部分には、説明の便宜上図１で用いた符号と同一の符号を付する。
【００３３】
図２に示す非接触型ＩＣカードにおいては、パルスカウンタ２４で、サンプリングタイマ２５で計時する一定期間、たとえば１ｍｓのサンプリング期間内における搬送波の波数（振幅数）をカウントし、このカウント値に基づき４つのＩＣカードモジュール３０−１、３０−２、３０−３、３０−４の中から該当する周波数の搬送波を用いるＩＣカードモジュールを特定して、この特定したＩＣカードモジュールを選択的に起動する。
【００３４】
ＲＦモジュール１０は、搬送波を受信すると、電源回路１１でこの搬送波の電磁誘導により電力を発生する。この電源回路１１で発生された電力は、この非接触型ＩＣカードの各部に供給されるとともに、ＣＰＵ２９を駆動するためのクロック信号を生成する水晶発振子２１を駆動する。
【００３５】
ＲＦモジュール１０で受信した搬送波は、Ａ／Ｄ変換回路２２に出力され、ここで、搬送波の波数をカウントするためのパルス信号に変換される。
【００３６】
電力回路１１は、ＲＦモジュール１０で受信した搬送波の振幅が安定すると、電力検知信号を出力する。この電力検知信号は、Ａ／Ｄ変換回路２２から出力されるパルス信号を開閉するスイッチ回路２２に加えられる。スイッチ回路２２は、この電力検知信号により開（ＯＮ）となって、Ａ／Ｄ変換回路２２から出力されるパルス信号を通過させ、パルスカウンタ２４に加えられる。
【００３７】
また、スイッチ回路２２が開になると、このスイッチ回路２２の出力により、一定のサンプリング期間を計時するサンプリングタイマ２５を起動する。
【００３８】
パルスカウンタ２４は、ＣＰＵ２９の制御のもとで、サンプリングタイマ２５で計時するサンプリング期間内にＡ／Ｄ変換回路２２から出力されるパルス信号のパルス数をカウントする。
【００３９】
サンプリングカウントデータテーブル２８には、各ＩＣカードモジュール３０−１、３０−２、３０−３、３０−４で用いる搬送波の周波数、すなわち、一定のサンプリング期間内の波数の計数データに対応するサンプリングカウントデータがそれぞれ記憶されている。
【００４０】
ＣＰＵ２９は、パルスカウンタ２４のカウントデータとサンプリングカウントデータテーブル２８に予め記憶されているサンプリングカウントデータとを比較して、ＲＦモジュール１０で受信した搬送波の周波数が、４つのＩＣカードモジュール３０−１、３０−２、３０−３、３０−４の中のどのＩＣカードモジュールが用いる搬送波の周波数に該当するかを調べて、そのＩＣカードモジュールを特定する。
【００４１】
そして、ＩＣカードモジュール３０−１、３０−２、３０−３、３０−４にそれぞれ対応するチップセレクト信号ＣＳ１、ＣＳ２、ＣＳ３、ＣＳ４のうち、上記特定された１つのＩＣカードモジュールに対応するチップセレクト信号のみをＯＮにし、その他のチップセレクト信号をＯＦＦにする。
【００４２】
また、ＲＦモジュール１０は、受信した搬送波に基づき受信データを受信回路２６に出力する。受信回路２６は、この受信データをメモリ２７に記憶するとともに、ＣＰＵ２９に送信する。
【００４３】
ＣＰＵ２９は、受信した受信データをＩＣカードモジュール３０−１、３０−２、３０−３、３０−４にシリアル通信で送信する。
【００４４】
ここで、ＩＣカードモジュール３０−１、３０−２、３０−３、３０−４のうちのＣＰＵ２９で特定した１つのＩＣカードモジュールに対応するチップセレクト信号のみがＯＮになっているので、ＣＰＵ２９から送信された受信データは、このチップセレクト信号がＯＮになっている１つのＩＣカードモジュールで受信され、また、このチップセレクト信号がＯＮになっている１つのＩＣカードモジュールに対してＲＦモジュール１０の電源回路１１から電力が加えられることになり、これにより、このチップセレクト信号がＯＮになっている１つのＩＣカードモジュールのみが選択的に起動されることになる。
【００４５】
この選択的に起動された１つのＩＣカードモジュールからの送信データは、ＲＦモジュール１０に出力され、ＲＦモジュール１０は、この送信データを該当する搬送波の変調により図示しないカードリーダライタに送信する。
【００４６】
なお、ＩＣカードモジュール３０−１、３０−２、３０−３、３０−４内のカード処理は、それぞれの機能に応じて異なり、また、このＩＣカードモジュール３０−１、３０−２、３０−３、３０−４の構成は周知の構成を用いることができるので、その詳細説明は省略する。
【００４７】
図３は、図２に示した非接触型ＩＣカードの動作を説明する波形図である。図３においては、ＲＦモジュール１０が受信する搬送波として、図３（Ａ）、（Ｃ）、（Ｅ）に示す３種類の搬送波が示されている。図２に示した非接触型ＩＣカードにおいて、パルスカウンタ２４は、サンプリングタイマ２５で計時する一定のサンプリング期間内における搬送波の波数（振幅数）をカウントする。
【００４８】
たとえば、ＲＦモジュール１０が受信する搬送波が図３（Ａ）のようであると、パルスカウンタ２４は「１６」をカウントし、ＲＦモジュール１０が受信する搬送波が図３（Ｃ）のようであると、パルスカウンタ２４は「３２」をカウントし、ＲＦモジュール１０が受信する搬送波が図３（Ｅ）のようであると、パルスカウンタ２４は「６４」をカウントする。そして、このカウントデータに基づき該当するＩＣカードモジュールを特定する。
【００４９】
また、図３（Ｂ）は、ＲＦモジュール１０が受信する搬送波が図３（Ａ）のようである場合の該当するＩＣカードモジュールで用いるＡＳＫ変調成分を示し、図３（Ｄ）は、ＲＦモジュール１０が受信する搬送波が図３（Ｃ）のようである場合の該当するＩＣカードモジュールで用いるＡＳＫ変調成分を示し、図３（Ｆ）は、ＲＦモジュール１０が受信する搬送波が図３（Ｅ）のようである場合の該当するＩＣカードモジュールで用いるＡＳＫ変調成分を示す。
【００５０】
図４は、図２に示した非接触型ＩＣカードの処理を説明するフローチャートである。
【００５１】
この処理が開始され、ＲＦモジュール１０が搬送波を受信すると（ステップ４０１）、水晶発振子２１を駆動し、次に、この受信した搬送波の振幅が安定したかを調べる（ステップ４０２）。ここで、搬送波の振幅が安定していないと判断されると（ステップ４０２でＮＯ）、ステップ４０２に戻り、受信した搬送波の振幅が安定するのを待つ。
【００５２】
ステップ４０２で、受信した搬送波の振幅が安定したと判断されると（ステップ４０２でＹＥＳ）、スイッチ回路２３をＯＮにし（ステップ４０３）、サンプリングタイマ２５を起動する（ステップ４０４）。そして、パルスカウンタ２４でＡ／Ｄ変換回路２２から出力されるパルス信号のパルス数をカウントを開始する（ステップ４０５）。
【００５３】
次に、カウント終了か、すなわち、サンプリングタイマ２５で計時するサンプリング期間終了かを調べ（ステップ４０６）、カウント終了でないとステップ４０６に戻り、カウント終了を待つが、ステップ４０６でカウント終了と判断されると（ステップ４０６でＹＥＳ）、パルスカウンタ２４のカウントデータとサンプリングカウントデータテーブル２８のサンプリングカウントデータとを比較し（ステップ４０７）、４つのＩＣカードモジュール３０−１、３０−２、３０−３、３０−４の用いる搬送波の周波数の中で該当する周波数は存在するかを調べる（ステップ４０８）。
【００５４】
ここで、該当する周波数が存在しないと判断されると（ステップ４０８でＮＯ）、ステップ４０１に戻るが、該当する周波数が存在すると判断されると（ステップ４０８でＹＥＳ）、該当する周波数の搬送波を用いるＩＣカードモジュールに対応するチップセレクト信号のみをＯＮにして、このＩＣカードモジュールを選択的に起動し（ステップ４０９）、この起動されたＩＣカードモジュールを用いた通信を開始する（ステップ４１０）。
【００５５】
そして、この起動されたＩＣカードモジュールを用いた通信が終了したかを調べ（ステップ４１１）、通信が終了していない場合は（ステップ４１１でＮＯ）、ステップ４１１に戻り、通信の終了を待つが、ステップ４１１で、通信が終了したと判断されると（ステップ４１１でＹＥＳ）、水晶発振子２１の発振を停止して、この非接触型ＩＣカードの処理を終了する。
【００５６】
以上が本発明の代表的な実施形態の一例であるが、本発明は、上記実施例及び図面に示す実施例に限定することなく、その要旨を変更しない範囲内で適宜変形して実施できるものである。
【００５７】
たとえば、図２に示す非接触型ＩＣカードにおいては、受信回路２６で受信した受信データを直接ＣＰＵ２９に加え、ＣＰＵ２９から受信データをＩＣカードモジュール３０−１、３０−２、３０−３、３０−４にシリアル通信で送信するように構成したが、図６に示すように、チップセレクト信号ＣＳ１またはＣＳ２またはＣＳ３またはＣＳ４のいずれかがＯＮになるときＯＮになるチップセレクト信号ＣＳ５によりＣＰＵ２９によって駆動されるドライブ回路２９０を設け、受信回路２６で受信した受信データをこのドライブ回路２９０を介してＩＣカードモジュール３０−１、３０−２、３０−３、３０−４にシリアル通信で送信するように構成してもよい。
【符号の説明】
【００５８】
１０、５１０、５２０    ＲＦモジュール（共通無線回路）
１１、５１１、５２１    電源回路
２０    選択起動制御部
２１    水晶発振子
２２    Ａ／Ｄ変換回路
２３    スイッチ回路
２４    パルスカウンタ
２５    サンプリングタイマ
２６    受信回路
２７    メモリ
２８    サンプリングカウントデータテーブル
２９    ＣＰＵ
３０−１、３０−２、３０−３、３０−４、５３０−１、５３０−２    ＩＣカードモジュール（カード処理回路）
２９０    ドライブ回路
【図１】
2012068931.tif 000003
【図２】
2012068931.tif 000004
【図３】
2012068931.tif 000005
【図４】
2012068931.tif 000006
【図５】
2012068931.tif 000007
【図６】
2012068931.tif 000008